(57)【特許請求の範囲】
【請求項１】
左右の側枠を有するフレームにスプールが回転可能に支持され、前記側枠に取り付けられた外側板を有するリール本体を備えた魚釣用リールであって、
前記外側板は、前記スプールのスプール軸周りに回動させることにより、前記側枠に対して着脱可能に設けられ、当該外側板に設けられた係止機構によって前記側枠に係止されるようになっており、
前記側枠と前記外側板との対向部位には、前記スプール軸周りの回動により相互に係脱する係脱部材が設けられており、
前記係脱部材は、
前記スプール軸の軸心から等距離に配設された複数組の第１の係脱部材と、
前記第１の係脱部材よりも前記スプール軸の軸心から離れた位置において、前記側枠と前記外側板との端部に配設された少なくとも一組の第２の係脱部材と、を備えており、
複数組の前記第１の係脱部材は、隣接するもの同士の周方向における間隔が相互に異なる間隔で前記スプール軸の周方向に配置されており、
隣接するもの同士の周方向における間隔のうち最大となる間隔を構成する円弧を、前記スプール軸の軸方向から見て、前記スプール軸の軸心と第２の係脱部材とを結ぶ線分が跨ぐように、前記第２の係脱部材が位置しており、
少なくとも一組の前記第２の係脱部材は、
前記側枠の前端側面から側方へ向けて突設された突設部、および前記突設部に連続して折り曲げられた折曲部を備え、平面視で略Ｌ字形状を呈する係合受部と、
前記外側板の前端内側面から側方へ向けて突設された突設部、および前記突設部に連続して折り曲げられた折曲部を備え、平面視で略Ｌ字形状を呈する係合部と、から構成され、
前記スプール軸の軸心を中心として前記側枠に対して前記外側板を回動させることで、前記係合受部の前記折曲部の内側部に前記係合部の前記折曲部の内側部が係脱可能であることを特徴とする魚釣用リール。
【請求項２】
前記外側板は、前記リール本体の竿延在方向における前記スプール軸の軸心の前側に向けて延出する延出部を備えており、
前記第２の係脱部材は、前記延出部に配設されていることを特徴とする請求項１に記載の魚釣用リール。
【請求項３】
前記外側板には、窓部が形成されていることを特徴とする請求項１または請求項２に記載の魚釣用リール。
【発明の詳細な説明】
【技術分野】
【０００１】
本発明は、スプールの側方の外側板を取り外すことができる取り外し機構が設けられた両軸型の魚釣用リールに関する。
【背景技術】
【０００２】
従来、一般的な両軸型の魚釣用リールは、リール本体と、釣糸が巻回されるスプールと、リール本体の側方に装着され、スプールに挿通されたスプール軸の一端側を支持する外側板とを備えて構成されている。
【０００３】
そして、スプールの交換やスプールのメンテナンス等をスムーズに行うために、外側板には、これを取り外すための係止機構が設けられている（例えば、特許文献１参照）。
特許文献１の魚釣用リールにおける係止機構は、外側板の表面に露出するように設けられたプッシュ式のボタンと、外側板の内側に設けられ、前記ボタンが操作された際に連動して作動する係止部材とを備えている。係止部材は、リール本体側に設けられた受部に係止されるようになっており、前記ボタンが操作されることで、リール本体側の受部に対する係止部材の係止が解除されるように構成されている。
このような魚釣用リールによれば、ボタンを操作することで、リール本体から外側板をワンタッチで取り外すことが可能である。
【０００４】
また、特許文献２に記載された魚釣用リールでは、上面カバーが回転可能に設けられており、外側板の回転規制をこの上面カバーで行うように構成されている。
【０００５】
また、特許文献３に記載された魚釣用リールでは、ねじの締め付けによって、外側板の回動を規制しつつ外側板をフレームに固定している。
【先行技術文献】
【特許文献】
【０００６】
【特許文献１】特開平６３−２６３０３３号公報
【特許文献２】特開平１０−１７８９８１号公報
【特許文献３】特開２００７−１８９９６６号公報
【発明の概要】
【発明が解決しようとする課題】
【０００７】
特許文献１の魚釣用リールでは、外側板がスプール軸の前方へ向けて延出した形状であるので、延出した部分の固定強度が弱いという問題があった。
また、特許文献２の魚釣用リールでは、構造が複雑になるという問題があった。
さらに、特許文献３の魚釣用リールでは、ねじの締め付けによって外側板を側枠に固定しているので、固定が煩雑であり、しかもスプール軸の前方へ向けて延出した部分の固定強度が弱いという問題があった。
【０００８】
本発明は、前記問題を解決するためになされたものであり、スプール軸から離れた部分における側枠と外側板との固定強度を確保することができる魚釣用リールを提供することを課題とする。
【課題を解決するための手段】
【０００９】
このような課題を解決する本発明の魚釣用リールは、左右の側枠を有するフレームにスプールが回転可能に支持され、前記側枠に取り付けられた外側板を有するリール本体を備えた魚釣用リールであって、前記外側板は、前記スプールのスプール軸周りに回動させることにより、前記側枠に対して着脱可能に設けられ、当該外側板に設けられた係止機構によって前記側枠に係止されるようになっており、前記側枠と前記外側板との対向部位には、前記スプール軸周りの回動により相互に係脱する係脱部材が設けられており、前記係脱部材は、前記スプール軸の軸心から等距離に配設された複数組の第１の係脱部材と、前記第１の係脱部材よりも前記スプール軸の軸心から離れた位置において、前記側枠と前記外側板との端部に配設された少なくとも一組の第２の係脱部材と、を備えており、複数組の前記第１の係脱部材は、隣接するもの同士の周方向における間隔が相互に異なる間隔で前記スプール軸の周方向に配置されており、隣接するもの同士の周方向における間隔のうち最大となる間隔を構成する円弧を、前記スプール軸の軸方向から見て、前記スプール軸の軸心と第２の係脱部材とを結ぶ線分が跨ぐように、前記第２の係脱部材が位置しており、少なくとも一組の前記第２の係脱部材は、前記側枠の前端側面から側方へ向けて突設された突設部、および前記突設部に連続して折り曲げられた折曲部を備え、平面視で略Ｌ字形状を呈する係合受部と、前記外側板の前端内側面から側方へ向けて突設された突設部、および前記突設部に連続して折り曲げられた折曲部を備え、平面視で略Ｌ字形状を呈する係合部と、から構成され、前記スプール軸の軸心を中心として前記側枠に対して前記外側板を回動させることで、前記係合受部の前記折曲部の内側部に前記係合部の前記折曲部の内側部が係脱可能であることを特徴とする。
【００１０】
この魚釣用リールによれば、側枠と外側板との対向部位に設けられた係脱部材は、スプール軸周りの回動により相互に係脱するようになっており、スプール軸の軸心から等距離に配設された複数組の第１の係脱部材と、第１の係脱部材よりもスプール軸の軸心から離れた位置において、側枠と外側板との端部に配設された少なくとも一組の第２の係脱部材と、を備えて構成されているので、複数組の第１の係脱部材と少なくとも一組の第２の係脱部材とによって複合的に外側板が側枠に取り付けられることとなる。
特に、第２の係脱部材によってスプール軸の軸心から離れた位置において、側枠と外側板との端部が取り付けられることとなる。
また、複数組の前記第１の係脱部材は、隣接するもの同士の周方向における間隔が相互に異なる間隔で前記スプール軸の周方向に配置されており、隣接するもの同士の周方向における間隔のうち最大となる間隔を構成する円弧を、前記スプール軸の軸方向から見て、前記スプール軸の軸心と第２の係脱部材とを結ぶ線分が跨ぐように、前記第２の係脱部材が位置するので、周方向における間隔が最も開いている部分の固定強度を高めることができる。
また、少なくとも一組の第２の係脱部材は、前記側枠の前端側面から側方へ向けて突設された突設部、および前記突設部に連続して折り曲げられた折曲部を備え、平面視で略Ｌ字形状を呈する係合受部と、前記外側板の前端内側面から側方へ向けて突設された突設部、および前記突設部に連続して折り曲げられた折曲部を備え、平面視で略Ｌ字形状を呈する係合部と、から構成され、前記スプール軸の軸心を中心として前記側枠に対して前記外側板を回動させることで、前記係合受部の前記折曲部の内側部に前記係合部の前記折曲部の内側部が係脱可能であり、比較的強度の高い部分である、側枠と外側板との前端部に配設されているので、形成が行い易く、一体的に形成することも容易である。
【００１１】
また、本発明は、前記外側板が、前記リール本体の竿延在方向における前記スプール軸の軸心の前側に向けて延出する延出部を備えており、前記第２の係脱部材は、前記延出部に配設されていることを特徴とする。
【００１２】
この魚釣用リールによれば、リール本体の竿延在方向におけるスプール軸の軸心の前側に向けて延出する外側板の延出部を、第２の係脱部材により側枠に好適に係止することができる。
【００１５】
また、本発明は、前記外側板に、窓部が形成されていることを特徴とする。
【００１６】
この魚釣用リールによれば、窓部の形成された外側板を好適に側枠に取り付けることができる。
【発明の効果】
【００１７】
本発明によれば、複数組の第１の係脱部材と少なくとも一組の第２の係脱部材とによって複合的に外側板が側枠に取り付けられることとなるので、外側板の形状を楕円形状等の横長形状としても、第２の係脱部材によってスプール軸の軸心から離れた部分における側枠と外側板との固定が確実なものとなる。これにより、スプール軸の軸心から離れた部分における側枠と外側板との固定強度を確保することができる。
したがって、側枠と外側板との間に隙間が生じ難くなる。また、長期間の使用によっても外側板が反る等の不具合が生じ難い。
【００１８】
また、スプール軸の軸心から離れた部分における側枠と外側板との固定強度を確保することができるので、衝撃力を受けたり落下したりする等して不慮の外力が作用した場合にも、リール本体の構成要素に与える影響を軽減することが可能となる。
【００１９】
スプール軸の軸心から離れた部分における側枠と外側板との固定強度を確保することができるので、外側板に設けられた係止機構をシンプルなものとすることができ、単に回動を規制する機能のみ（外側板の取り外しが容易なプッシュ式のもの）を有するものであってもよい。したがって、構造が簡単になり、コストの低減を図ることができる。
【００２０】
また、少なくとも一組の第２の係脱部材は、比較的強度の高い部分である、側枠と外側板との端部に配設されているので、第２の係脱部材の形成が行い易く、一体的に形成することも可能である。したがって、製造コストを低く抑えることが可能であり、経済的である。
また、隣接するもの同士の周方向における間隔のうち最大となる間隔を構成する円弧を、前記スプール軸の軸方向から見て、前記スプール軸の軸心と第２の係脱部材とを結ぶ線分が跨ぐように、前記第２の係脱部材が位置し、周方向における間隔が最も開いている部分の固定強度を高めることができるので、例えば、外側板内の構成要素が多く、第１の係脱部材の配置に偏りが生じるなどして、隣接する第１の係脱部材同士の間隔が相互に異なる間隔でスプール軸の周方向に配置された場合に、固定強度が弱くなる部分の固定を第２の係脱部材によって好適に補完することができ、固定強度を高めることができる。
さらに、第２の係脱部材の係合受部および係合部の形成が行い易く、一体的に形成することも容易であるので、製造コストを低く抑えることが可能であり、経済的である。
【００２１】
また、第２の係脱部材が、延出部に配設されている構成では、外側板の延出部を、第２の係脱部材により側枠に好適に係止することができるので、スプール軸の軸心から離れた部分における側枠と外側板との固定強度を確保することができる。
【００２３】
また、外側板に、窓部が形成されている構成では、窓部により外側板の剛性が仮に低くなったとしても、第１の係脱部材と第２の係脱部材とによって側枠と外側板との固定強度を好適に確保することができる。したがって、側枠と外側板との間に隙間が生じることがなくなり、窓部が形成されている構成でありながらも、製品精度を高めることができる。
【図面の簡単な説明】
【００２４】
【図１】（ａ）は本発明の参考例に係る魚釣用リールの正面図、（ｂ）は上面図である。
【図２】本発明の参考例に係る魚釣用リールの内部構造を示す上面図である。
【図３】フレームと外側板とを示す斜視図である。
【図４】フレームを示す図であり、（ａ）は側面図、（ｂ）は上面図、（ｃ）は下面図、（ｄ）は正面図、（ｅ）は後面図、（ｆ）はスプール軸を通る縦断面図、（ｇ）は外側板を装着したときの状態を示す後面図である。
【図５】側板を示す図であり、（ａ）は側面図、（ｂ）は上面図、（ｃ）は下面図、（ｄ）は正面図、（ｅ）は後面図、（ｆ）は図５（ａ）のＡ−Ａ線断面図である。
【図６】（ａ）は外側板を取り外した状態の側面図、（ｂ）は外側板の内側の構成を示した側面図である。
【図７】（ａ）は外側板の係止状態を示す側面図、（ｂ）は外側板をずらした状態を示す側面図である。
【図８】（ａ）〜（ｄ）は作用説明図である。
【図９】本発明の第１実施形態に係る魚釣用リールの上面図である。
【図１０】（ａ）はフレームの正面図、（ｂ）はフレームの上面図である。
【図１１】魚釣用リールの斜視図である。
【図１２】フレームと外側板とを示した斜視図である。
【図１３】（ａ）は外側板を取り外した状態の側面図、（ｂ）は外側板の内側の構成を示した側面図である。
【図１４】（ａ）は魚釣用リールの側面図、（ｂ）は外側板をずらした状態を示す側面図である。
【図１５】（ａ），（ｂ）は釣糸巻き取り時における各部の位置関係を示す説明図、（ｃ），（ｄ）は釣糸放出時における各部の位置関係を示す説明図である。
【図１６】サムレストの構造を示した側断面図である。
【発明を実施するための形態】
【００２５】
以下、本発明に係る魚釣用リールの実施形態について図面を参照しながら説明する。なお、以下の説明において、「上下」「前後」「左右」を言うときは、図１に示した方向を基準とする。なお、説明において、同一の要素には同一の符号を用い、重複する説明は省略する。
【００２６】
（参考例）
図１に示すように、魚釣用リールのリール本体１は、左右一対の側枠２ａ，２ｂを複数の支柱２ｃで連結して一体の枠体構造を形成するフレーム２を有し、この側枠２ａ，２ｂのそれぞれの外側に、外側板３ａ，３ｂを取付けてハウジングとして形成され、釣竿取付脚２ｃ１を介して図示しない釣竿に固定される。
ここで、左側の側枠２ａと外側板３ａとの間、右側の側枠２ｂと外側板３ｂとの間には内部空間がそれぞれ形成され、このうち側枠２ａと外側板３ａとの間に形成される内部空間には、リール本体１の構成要素として係止機構２０や遠心ブレーキ装置３０Ａ等が設置されるようになっている。また、右側の側枠２ｂと外側板３ｂとの間に形成される内部空間には、駆動機構１０、クラッチ機構５０、ドラグ機構３５等が設置されるようになっている。
そして、本参考例では、外側板３ａは、スプール５のスプール軸５ｃの軸心Ｏ１周りに回動させる（図７参照）ことにより、側枠２ａに対して着脱可能に設けられ、係止機構２０によって側枠２ａに係止されるようになっており、側枠２ａと外側板３ａとの対向部位には、このスプール軸５ｃの軸心Ｏ１周りの回動により相互に係脱する係脱部材としての係合片３１ｃおよび係合溝部２ｈ１〜２ｈ４（複数組の第１の係脱部材）、係合部４０および係合受部４５（少なくとも一組の第２の係脱部材）が設けられている（図６参照）。
【００２７】
左右の側枠２ａ，２ｂは、複数の支柱２ｃ（図３参照）を介して一体化されており、そのうちの下部に設けられた支柱２ｃには、釣竿のリールシート（不図示）に装着される釣竿取付脚２ｃ１が設けられている。
また、図２に示すように、左側の外側板３ａと右側の側枠２ｂ間には、軸受５ａ，５ｂを介してスプール軸５ｃが回転可能に支持されており、このスプール軸５ｃにスプール５が取り付けられている。
【００２８】
フレーム２は、図３に示すように、左右に間隔を空けて配置された側枠２ａ，２ｂと、側枠２ａ，２ｂを連結する複数の支柱２ｃと、側枠２ａ，２ｂの前側上部に架け渡されたサムレスト４と、側枠２ａの前側上部から反ハンドル側（左側）に向けて膨出形成された膨出部４ｂと、を備え、これらが一体的に構成されてなる。
また、側枠２ａ，２ｂの前端部２ａ２，２ｂ２には、フレーム２と別体で形成された前枠２ｄが取り付けられるようになっている。
【００２９】
側枠２ａは、図４（ａ）に示すように、側面視で、前端部２ａ２が前方に向けて上下方向に窄まるように延設された略楕円形状の平板状を呈しており、その周縁に対して外側板３ａ（図３参照）の周縁が突き合わされて取り付けられるようになっている。
側枠２ａは、図４（ｂ）に示すように、リール本体１の竿延在方向におけるスプール軸５ｃの軸心Ｏ１から後側となる後部周縁部（後部）２ａ４が、これに対峙する外側板３ａの後部周縁部３ａ４（図３参照）と同一平面上に位置するように平に形成されている。
【００３０】
一方、竿延在方向におけるスプール軸５ｃの軸心Ｏ１の前方となる側枠２ａの前側上部には、図３、図４各図に示すように、膨出部４ｂが形成されている。膨出部４ｂは、図４各図に示すように、反ハンドル側に向けて湾曲状に膨出する湾曲板状を呈しており、図２に示すように、外側縁部４ｂ１が、前記した突き合せ面となる後部周縁部（後部）２ａ４の位置する同一平面よりも反ハンドル側に位置している。
膨出部４ｂの外側縁部４ｂ１は、図４（ｂ）に示すように、上面視で略Ｓ字形状に形成されている。
膨出部４ｂは、図３に示すように、側枠２ａおよびこれに連続するサムレスト４と一体的に設けられており、上面がサムレスト４から続く曲線状とされている。
【００３１】
側枠２ａの前端側面には、係合受部４５（第２の係脱部材）が設けられている。係合受部４５には、外側板３ａの後記する係合部４０が係脱可能である。これらの係合受部４５および係合部４０は、後記する側枠２ａの係合溝部２ｈ１〜２ｈ４、および外側板３ａの係合片３１ｃよりも、スプール軸５ｃの軸心Ｏ１から離れた位置に配設されている。
係合受部４５は、図４（ｂ）に示すように、平面視で略Ｌ字形状を呈しており、側枠２ａの前端側面から左側方へ向けて突設された突設部４６と、突設部４６に連続して折り曲げられた折曲部４７とを備えている。そして、折曲部４７の内側部４７ａに、外側板３ａの係合部４０（内側部４２ａ）が係脱可能となっている。
【００３２】
図３、図４（ｂ）に示すように、係合受部４５の下部には、凹溝４８が形成されている。凹溝４８は、側枠２ａの下縁を切欠いて形成されており、スプール軸５ｃの軸心Ｏ１を中心として側枠２ａに外側板３ａを取り付け取り外しする際の、係合部４０の回動軌跡に重なる位置に形成されている。
また、係合受部４５の上方における近傍位置には、前枠２ｄを係止するための係止突部４９が設けられている。
【００３３】
前枠２ｄは、側枠２ａ，２ｂの前端部２ａ２，２ｂ２に掛け渡されるようにして装着され、右端部が側枠２ｂに図示しないねじで固定される。また、前枠２ｄの左端部には、前記した係止突部４９に係止される枠部２ｄ１が設けられており、この枠部２ｄ１を係止突部４９に引っ掛けるようにして、前枠２ｄの左端部が側枠２ａの前端部２ａ２に取り付けられる。
前枠２ｄの左上部には、傾斜部２ｄ３が形成されており、前端部２ａ２に前枠２ｄが取り付けられた状態で、傾斜部２ｄ３が、側枠２ａの膨出部４ｂに接続されるようになっている。これにより、膨出部４ｂから傾斜部２ｄ３にかけて連続した傾斜面が形成され、膨出部４ｂから前枠２ｄにかけて連続した面が形成されるようになっている。
【００３４】
外側板３ａは、図５（ｂ）〜（ｅ）に示すように、リール本体１の竿延在方向におけるスプール軸５ｃの軸心Ｏ１から後側となる後部周縁部３ａ４が、側枠２ａの後部周縁部（後部）２ａ４と同一平面で突き合わされるように平に形成されている。
そして、図３、図５（ｂ）（ｄ）に示すように、外側板３ａには、側枠２ａの膨出部４ｂに対応する位置に凹状部３ｂ１が形成されている。凹状部３ｂ１は、膨出部４ｂに対応する湾曲凹状とされており、側枠２ａに外側板３ａを装着した際に、膨出部４ｂに突き合わされるようになっている。
なお、膨出部４ｂと凹状部３ｂ１との突き合せ形状は、図１（ｂ）に示すように、略Ｓ字形状とされている。
本参考例では、前記したようにスプール軸５ｃの軸心Ｏ１を中心として回動させることで、側枠２ａに対して外側板３ａが取り付けられるようになっており、取り付け時の回動によって側枠２ａの膨出部４ｂに外側板３ａの凹状部３ｂ１が突き合わされるようになっている。
【００３５】
また、側枠２ａには、図６（ａ）に示すように、開口２ａ３の外周縁に、円周方向に所定の間隔（略９０度間隔）を置いて、外側板３ａの後記する舌片状の係合片３１ｃが係合可能な溝状の係合溝部２ｈ１〜２ｈ４（第１の係脱部材）が設けられている。なお、係合溝部２ｈ１、２ｈ４は、必ずしも設けなくてもよい。
【００３６】
外側板３ａの延出部となる前端内側面には、図３、図５（ｂ）（ｄ）に示すように、係合部４０（第２の係脱部材）が設けられている。この係合部４０は側枠２ａの係合受部４５に係脱可能となっており、平面視で略Ｌ字形状（図５（ｂ）参照）を呈している。係合部４０は、外側板３ａの前端内側面から右側方へ向けて突設された突設部４１と、突設部４１に連続して折り曲げられた折曲部４２とを備えている。そして、折曲部４２の内側部４２ａが、側枠２ａの係合受部４５（内側部４７ａ）に係脱可能となっている。
外側板３ａの内側部４２ａは、図５（ｄ）に示すように、上部の角部が面取りされており、側枠２ａの係合受部４５の内側部４７ａに対して係合し易くなっている。
また、係合部４０の下方における外側板３ａの下縁には、側枠２ａの凹溝４８に係合可能な係合突出部４３が設けられている。
【００３７】
また、図６（ｂ）に示すように、外側板３ａのブレーキリング３１ａには、その円筒状の外周縁に側枠２ａの係合溝部２ｈ１〜２ｈ４にそれぞれ係合可能な舌片状の係合片３１ｃ（第１の係脱部材）が突設されている。これにより、側枠２ａに外側板３ａを取り付ける際には、側枠２ａの側面に外側板３ａを合わせるようにして、スプール軸５ｃの軸心Ｏ１を中心として回動させることで、各係合溝部２ｈ１〜２ｈ４に外側板３ａの係合片３１ｃがそれぞれ係合し、これによって、側枠２ａに脱落不能に外側板３ａが取り付けられることとなる。
【００３８】
ここで、外側板３ａの内面には、係止機構２０が設けられている。係止機構２０は、操作ボタン２１（図７（ａ）参照）と、この操作ボタン２１の操作に連動して揺動する係止部材２２とを備えて構成されている。操作ボタン２１は、樹脂製であり、外側板３ａのボス部３ｃ（図５（ａ）参照）内に図示しないばね部材を介して押し下げ操作可能に収容されている。
【００３９】
係止部材２２は、平板状の金属製の部材であり、側面視で略く字形状を呈している。係止部材２２は、一端部が操作ボタン２１に連結され、他端部が側枠２ａに設けられた受部２ｅ（図６（ａ）参照）に係脱可能とされており、一対の支持腕２５ａ，２５ｂを支点として、外側板３ａに揺動可能に支持されている。
そして、操作ボタン２１を押し下げ操作することにより、係止部材２２が側枠２ａの受部２ｅから外れて、これらの係止状態が解除され、図７（ａ）に示すように、側枠２ａに外側板３ａが取り付けられている状態から、図７（ｂ）に示すように、側枠２ａから外側板３ａを回動させるようにして、外側板３ａの取り外しが可能となる。また、取り付け時には、外側板３ａをスプール軸５ｃの軸心Ｏ１を中心として回動させることで、係止部材２２が受部２ｅに自動的に係止され、側枠２ａに対して外側板３ａが取り付けられる。
【００４０】
スプール５は、ハンドル７を回転操作することによって回転させることができるように構成されており、ハンドル７は、外側板３ｂから突出したハンドル軸７ａの端部に取り付けられて、外側板３ｂとの間に介在された逆転防止機構７ｂ（転がり式一方向クラッチ）によって、釣糸巻き取り方向にのみ回転可能となっている。
なお、スプール軸５ｃを回転可能に支持する軸受５ａは、外側板３ａに設けられた支持部材３１の中央部に配設されている。また、軸受５ｂは、側枠２ｂに配設されている。なお、軸受５ｂは、外側板３ｂに配設してもよい。
【００４１】
スプール軸５ｃの端部には、スプール軸５ｃの過回転を防止して、釣糸放出時のバックラッシュを防止する遠心ブレーキ装置３０Ａが設けられている。この遠心ブレーキ装置３０Ａは、外側板３ａの内側に固定保持されたブレーキリング３１ａと、このブレーキリング３１ａの内周側に形成された図示しない制動面に摺接するブレーキカラー３２とを有する。このブレーキカラー３２は、スプール軸５ｃから半径方向外方に延設した支持杆５ｄに摺動自在に装着されており、スプール軸５ｃが回転したときに作用する遠心力に応じて形成される摩擦力により、スプール５の回転に適度のブレーキ力を作用させるようになっている。
【００４２】
側枠２ｂと外側板３ｂとの間には、前記したように、ハンドル７の回転運動をスプール軸５ｃ、およびレベルワインド機構１５の螺軸１６に伝達する駆動機構１０、駆動力の伝達を継脱するクラッチ機構５０のほか、魚釣時にスプール５から釣糸が繰り出された際に、スプール５にドラグ力を付与するドラグ機構３５等が収容されている。
【００４３】
駆動機構１０は、公知のように、ハンドル軸７ａに回転可能に支持された駆動歯車１１と、この駆動歯車１１に噛合するピニオン１２とを備えている。ピニオン１２は、スプール軸５ｃと同軸上に設置されており、ピニオン軸１２ｃに沿って軸方向に移動可能となっている。また、ピニオン１２の外周には、円周溝１２ａが形成されており、この円周溝１２ａに、クラッチ機構５０のヨーク５７が係合して、ピニオン１２を軸方向に移動させるようになっている。すなわち、ピニオン１２が軸方向に移動することで、スプール軸５ｃとの間で継脱がなされ、動力伝達状態（クラッチＯＮ状態）／動力遮断状態（クラッチＯＦＦ状態）に切り換えられるようになっている。
【００４４】
スプール５の前方において、側枠２ａ，２ｂ間には、レベルワインド機構１５（図２参照）が配置されている。レベルワインド機構１５は、駆動機構１０を介して回転駆動される螺軸１６と、螺軸１６に装着されて左右方向に往復動可能に設けられた釣糸案内体１７と、この釣糸案内体１７に設けられたラインガイド１８とを備えている。
螺軸１６は、側枠２ａ，２ｂ間に回転可能に支持されており、駆動機構１０を介して回転駆動されるようになっている。螺軸１６の端部には、連動歯車１６ａが取り付けられており、この連動歯車１６ａには、ハンドル軸７ａの駆動歯車１１に隣接して設けられた歯車１１ａが噛合している。これにより、ハンドル７を巻き取り回転操作すると、ハンドル軸７ａの回転が、歯車１１ａおよび連動歯車１６ａを通じて螺軸１６に伝わり、螺軸１６が回転駆動される。
【００４５】
螺軸１６の外周面には、螺旋溝１６ｂが形成され、この螺旋溝１６ｂには、釣糸案内体１７に設けられた図示しない摺動子が係合している。これにより、釣糸案内体１７のラインガイド１８は、螺軸１６が連動歯車１６ａによって回転駆動されることで、螺旋溝１６ｂに係合する図示しない摺動子を介して左右往復動するようになっている。
【００４６】
また、図１（ａ）（ｂ）、図２に示すように、側枠２ａ，２ｂ間には、補助操作部６が回動可能に支持されている。補助操作部６は、駆動機構１０の駆動歯車１１（図２参照）を介してスプール５（図２参照）を補助的に巻き取り操作できるように構成されている。補助操作部６は、側枠２ａ，２ｂ間に回動可能に設けられた支持軸（図６（ａ）参照）６ｄに固定され、後方斜め上方へ向けて突出するように配置されている。
【００４７】
図６（ａ）に示すように、支持軸６ｄの左端部は、側枠２ａの側方において、膨出部４ｂの下方に露出しており、支持軸６ｄには、止めリング６ａで連結部材６ｃが連結されている。また、連結部材６ｃには、側枠２ａとの間で付勢ばね６ｂが取り付けられており、これによって、補助操作部６は、常時前方向に回動する方向に付勢されている。
【００４８】
なお、図６（ａ）に示すように、付勢ばね６ｂの下方には、レベルワインド機構１５（図２参照）の螺軸１６の左端部が露出するようにして支持されており、止めリング１６ｃで係止されている。
【００４９】
次に、側枠２ａから外側板３ａを取り外す際の作用について説明する。
ここで、側枠２ａに外側板３ａが取り付けられた状態では、図７（ａ）に示すように、係止機構２０の係止部材２２が側枠２ａの受部２ｅに係止されているとともに、側枠２ａの係合溝部２ｈ１〜２ｈ４に外側板３ａの係合片３１ｃがそれぞれ係合している。
また、側枠２ａの前端部２ａ２の係合受部４５（内側部４７ａ）に、外側板３ａの係合部４０（内側部４２ａ）が係合し、側枠２ａの前端部２ａ２と外側板３ａの前端部とが噛み合うようにして固定されている。
ここで、図８（ａ）に示すように、係合受部４５に係合部４０が係合した状態で、係合部４０の突設部４１は、係止突部４９に係止されている前枠２ｄの枠部２ｄ１に達しており、この枠部２ｄ１に当接している。したがって、係止突部４９と枠部２ｄ１との係合状態が係合受部４５と係合部４０との係合によって好適に維持されており、側枠２ａに対して前枠２ｄが脱落不能に固定されている。
【００５０】
係止機構２０（図７（ａ）参照）の操作ボタン２１を操作して、外側板３ａをスプール軸５ｃ（図２参照）の軸心Ｏ１を中心として回動させると、図８（ｂ）に示すように、係合受部４５に対して係合部４０が外れる方向に移動するとともに、係止突部４９と枠部２ｄ１との係合状態が解除可能状態にされ、さらに、側枠２ａの凹溝４８から外側板３ａの係合突出部４３が外れて、係合部４０の突設部４１が妨げられることなく凹溝４８内に侵入する。
ここで、側枠２ａは、リール本体１の竿延在方向におけるスプール軸５ｃの軸心Ｏ１から後側となる後部周縁部（後部）２ａ４が、これに対峙する外側板３ａの後部周縁部３ａ４（図３参照）と同一平面上に位置するように平に形成されているので、スプール軸５ｃの軸心Ｏ１を中心として回動させながら外側板３ａを取り外すことができる。
【００５１】
その後、さらに外側板３ａを回動させると、図８（ｃ）に示すように、係合受部４５から係合部４０が外れ、係止突部４９と枠部２ｄ１との係合状態が解除される。これとともに、係合部４０が、側枠２ａの凹溝４８内を通過する。
【００５２】
そして、さらに外側板３ａを回動させると、図８（ｄ）に示すように、係合部４０が側枠２ａの凹溝４８から外れる位置まで回動し、これとともに、外側板３ａの舌片状の係合片３１ｃ（図６（ｂ）参照）が側枠２ａの係合溝部２ｈ１〜２ｈ４（図６（ａ）参照）からそれぞれ外れる状態となり、側枠２ａから外側板３ａが取り外し可能となる。
なお、外側板３ａを側枠２ａに取り付ける際には、前記した回動操作と逆の方向に外側板３ａを回動操作することで、側枠２ａに取り付けることができる。
【００５３】
以上説明した本参考例の魚釣用リールによれば、側枠２ａと外側板３ａとの対向部位に設けられた係脱部材（第１の係脱部材および第２の係脱部材）は、スプール軸５ｃの軸心Ｏ１周りの回動により相互に係脱するようになっており、スプール軸５ｃの軸心Ｏ１から等距離に配設された複数組の第１の係脱部材（係合片３１ｃおよび係合溝部２ｈ１〜２ｈ４）と、第１の係脱部材よりもスプール軸５ｃの軸心Ｏ１から離れた位置において、側枠２ａと外側板３ａとの端部に配設された少なくとも一組の第２の係脱部材（係合部４０および係合受部４５）と、を備えて構成されているので、これらによって複合的に外側板３ａが側枠２ａに取り付けられることとなる。
特に、第２の係脱部材（係合部４０および係合受部４５）によってスプール軸５ｃの軸心Ｏ１から離れた位置において、側枠２ａと外側板３ａとの端部（延出部）が取り付けられることとなる。
【００５４】
したがって、外側板３ａの形状を楕円形状等の横長形状としても、第２の係脱部材によってスプール軸５ｃの軸心Ｏ１から離れた部分における側枠２ａと外側板３ａとの固定が確実なものとなる。これにより、スプール軸５ｃの軸心Ｏ１から離れた部分における側枠２ａと外側板３ａとの固定強度を確保することができる。
したがって、側枠２ａと外側板３ａとの間に隙間が生じ難くなる。また、長期間の使用によっても外側板３ａが反る等の不具合が生じ難い。
【００５５】
また、スプール軸５ｃの軸心Ｏ１から離れた部分における側枠２ａと外側板３ａとの固定強度を確保することができるので、衝撃力を受けたり落下したりする等して不慮の外力が作用した場合にも、リール本体１の構成要素に与える影響を軽減することが可能となる。
【００５６】
スプール軸５ｃの軸心Ｏ１から離れた部分における側枠２ａと外側板３ａとの固定強度を確保することができるので、つまり、第１の係脱部材と第２の係脱部材との間に係止機構２０が配置されることとなり、負荷が低減されることとなるので、外側板３ａに設けられた係止機構２０をシンプルなものとすることができ、単に回動を規制する機能のみ（外側板３ａの取り外しが容易なプッシュ式のもの）を有するものであってもよい。したがって、構造が簡単になり、故障し難く、また、コストの低減を図ることができる。
【００５７】
また、少なくとも一組の第２の係脱部材は、比較的強度の高い部分である、側枠２ａと外側板３ａとの端部に配設されているので、第２の係脱部材である係合部４０および係合受部４５の形成が行い易く、本参考例のように一体的に形成することも容易である。したがって、製造コストを低く抑えることが可能であり、経済的である。
【００５８】
（第１実施形態）
図９〜図１６を参照して第１実施形態の魚釣用リールについて説明する。
本実施形態の魚釣用リールが前記参考例と異なるところは、複数組の第１の係脱部材（係合片３１ｃおよび係合溝部２ｈ１〜２ｈ３、図１３（ａ）（ｂ）参照）がスプール軸５ｃの周りに不均一の間隔で配設されている点である。
なお、本実施形態では、リール本体１の上部の側枠２ａ，２ｂ間に設けられたサムレスト６０が、クラッチレバー５３の切り換え操作に連動して上下方向に移動可能に設けられている。
【００５９】
サムレスト６０は、図９に示すように、左側前部６０ａおよび右側前部６０ｂが左右方向に幅広に形成されて左右方向にそれぞれ膨出しており、これに対応するように、側枠２ａ，２ｂの前側上部（膨出部４ｂ）が左右方向に膨出して、外側縁部４ｂ１が、突き合せ面となる後部周縁部（後部）２ａ４の位置する同一平面よりも反ハンドル側に位置している。
そして、側枠２ａ，２ｂの前側上部における内側部２ａ６，２ｂ６が側枠２ａ，２ｂ膨出方向に向けてそれぞれ凹状に形成されている。
【００６０】
この内側部２ａ６，２ｂ６を利用して、図１０（ａ）（ｂ）に示すように、側枠２ａ，２ｂの内側には、収容部２ａ１，２ｂ１が形成されており、この収容部２ａ１，２ｂ１には、図１１に示すように、略三角形状の挿通孔２ｐ１，２ｐ２がそれぞれ形成されている。そして、これらに対応するようにして、外側板３ａ，３ｂにも挿通窓３ｐ１，３ｐ２が形成されている。
本実施形態では、これらの挿通孔２ｐ１，２ｐ２、挿通窓３ｐ１，３ｐ２が左右方向に幅広とされたラインガイド２３の、左右移動時における収容スペースとして機能するようになっている。
【００６１】
また、側枠２ａの前端側面には、第２の係脱部材として係合受部４５が設けられている。係合受部４５には、外側板３ａの係合部４０（第２の係脱部材）が係脱可能である。
図１３（ａ）に示すように、係合受部４５の下部には、凹溝４８ａが形成されている。凹溝４８ａは、側枠２ａの下縁を切欠いて形成されており、スプール軸５ｃの軸心Ｏ１を中心として側枠２ａに外側板３ａを取り付け取り外しする際の、係合部４０および外側板３ａの前端下縁部４３ａの回動軌跡に重なる位置に形成されている。
【００６２】
外側板３ａは、図９、図１０（ｂ）に示すように、リール本体１の竿延在方向におけるスプール軸５ｃの軸心Ｏ１から後側となる後部周縁部３ａ４が、側枠２ａの後部周縁部（後部）２ａ４と同一平面で突き合わされるように平に形成されている。
そして、外側板３ａには、図１２にも示すように、側枠２ａの膨出部４ｂに対応する位置に凹状部３ｂ１が形成されている。凹状部３ｂ１は、膨出部４ｂに対応する湾曲凹状とされており、側枠２ａに外側板３ａを装着した際に、膨出部４ｂに突き合わされるようになっている。
なお、膨出部４ｂと凹状部３ｂ１との突き合せ形状は、図１（ｂ）に示すように、略Ｓ字形状とされている。
本実施形態においても、スプール軸５ｃの軸心Ｏ１を中心として回動させることで、側枠２ａに対して外側板３ａが取り付けられるようになっており、装着時の回動により側枠２ａの膨出部４ｂに外側板３ａの凹状部３ｂ１が突き合わされるようになっている。
【００６３】
また、側枠２ａには、図１３（ａ）に示すように、開口２ａ３の外周縁に、円周方向に不均一な間隔（相互に異なる間隔）を空けて、外側板３ａの係合片３１ｃが係合可能な溝状の係合溝部２ｈ１〜２ｈ３が設けられている。
本実施形態では、係合溝部２ｈ１と係合溝部２ｈ２との円周方向の間隔をＣ１、係合溝部２ｈ２と係合溝部２ｈ３との間隔をＣ２、係合溝部２ｈ３と係合溝部２ｈ１との間隔をＣ３としたときに、Ｃ１＜Ｃ２＜Ｃ３の関係となるように設定されている。そして、これらの間隔のうち、最大となる間隔（係合溝部２ｈ３と係合溝部２ｈ１との間隔Ｃ３）を構成する円弧を、スプール軸５ｃの軸方向から見て、スプール軸５ｃの軸心と第２の係脱部材（係合部４０、係合受部４５）とを結ぶ線分が跨ぐように、第２の係脱部材が位置するように構成されている。
【００６４】
また、側枠２ａの前端上部には、略三角形状の挿通孔２ｐ１が形成されている。また、側枠２ｂの前端上部にも、略三角形状の挿通孔２ｐ２が形成されている。
【００６５】
外側板３ａの前端内側面には、図１２、図１３（ｂ）に示すように、側枠２ａの係合受部４５に係脱可能な係合部４０が設けられている。
外側板３ａの前端上部には、略三角形状の挿通窓（窓部）３ｐ１が形成されている。また、外側板３ｂの前端上部にも、略三角形状の挿通窓３ｐ２が形成されている。
なお、図１４（ａ）に示すように、外側板３ａの外側面には、前後方向に延びる窓（窓部）３ｅが開口しており、窓３ｅ内には、挿通窓３ｐ１や制動装置３０Ｂの制動力を調節する調節つまみ３６が配置されている。
【００６６】
このような外側板３ａは、操作ボタン２１を押し下げ操作することにより、係止部材２２が側枠２ａの受部２ｅから外れて、これらの係止状態が解除され、図１４（ａ）に示すように、側枠２ａに外側板３ａが取り付けられている状態から、図１４（ｂ）に示すように、側枠２ａから外側板３ａを回動させるようにして、外側板３ａの取り外しが可能となる。また、取り付け時には、外側板３ａをスプール軸５ｃの軸心Ｏ１を中心として回動させることで、係止部材２２が受部２ｅに自動的に係止され、側枠２ａに対して外側板３ａが取り付けられる。
【００６７】
サムレスト６０は、図１５（ａ）に示すように、ラインガイド２３を覆うように前方へ向けて延設されている。サムレスト６０の下面には、支持部６１を介してピラー６３が回転可能に支持されている。ピラー６３は、円柱状の部材であり、サムレスト６０を閉じた状態（先端を下方向へ回動してピラー６３を移動させた状態）で、ラインガイド２３の後方の近傍位置に配置されるようになっており、その位置で釣糸を押し下げて、釣糸案内溝２４ｄに釣糸を誘導するように構成されている。
【００６８】
サムレスト６０の前端部６０ｄと前枠２ｄとの間には、サムレスト６０を閉じた状態で、図９にも示すように、釣糸挿通用の開口６０ｃが形成されており、釣糸巻き取り時における釣糸の挿通が可能となっている。
サムレスト６０の後部側には、クラッチレバー５３が連結されている。クラッチレバー５３は、サムレスト６０と一体成形部材であってもよいし、別体であってもよい。
【００６９】
図１６に示すように、クラッチ機構５０のクラッチ駆動部材５１は、公知のように、側枠２ｂに対して回動可能に支持され、振分けバネ５６によって、動力伝達状態（クラッチＯＮ状態）と、動力遮断状態（クラッチＯＦＦ状態）とに振分け保持されるようになっている。また、クラッチ駆動部材５１の表面には、ピニオン１２（図２参照、図２と同様）の円周溝１２ａ（図２参照、図２と同様）に嵌合したヨーク５７と係合可能な一対のカム面５８，５８が形成されている。
【００７０】
ヨーク５７の先端側は、側枠２ｂに突設された支持ピン５９，５９によって保持されており、ヨーク５７は、各支持ピン５９，５９に配設されたバネ部材（図示せず）によって常時、クラッチ駆動部材５１側に付勢された状態となっている。
サムレスト６０の中央部の下部には、円環部６４が一体的に設けられている。この円環部６４は、側枠２ａ，２ｂの内側に設けられた、スプール軸５ｃと同芯円環状の突設部（不図示）に対して外嵌可能であり、外嵌されることでサムレスト６０は、スプール軸５ｃの軸心Ｏ１周りに回動可能に取り付けられ、クラッチレバー５３の切り換え操作に連動して（先端部側が）上下方向に移動可能に設けられている。
【００７１】
そして、スプール５に対する釣糸の巻き取りを可能にするクラッチＯＮ状態にクラッチレバー５３を切り換え操作することにより、サムレスト６０が下方向へ移動し（図１５（ａ）参照）、この移動によりピラー６３が移動して、釣糸挿通孔２４の下部内面中央部の釣糸案内溝２４ｄに釣糸が保持される（図１５（ｂ）参照）。
また、スプール５からの釣糸放出を可能にするクラッチＯＦＦ状態にクラッチレバー５３を切り換え操作することにより、サムレスト６０が上方向へ移動し（図１５（ｃ）参照）、この移動によりピラー６３も移動して、釣糸挿通孔２４の下部内面２４ｃの中央部の釣糸案内溝２４ｄから釣糸が離れる（図１５（ｄ）参照）。
【００７２】
釣糸案内体１７の上部には、釣糸を案内するためのラインガイド２３が設けられている。
ラインガイド２３は、図１５（ｂ）に示すように、前方から見て、左右方向に横長形状とされており、釣糸挿通孔２４が形成されている。釣糸挿通孔２４の下部内面中央部には、釣糸巻き取り時に釣糸を保持する釣糸案内溝２４ｄが形成されている。釣糸案内溝２４ｄは、下部内面２４ｃの中央部から下方へ向けて湾曲凹状に切り欠かれた溝であり、図１５（ａ）に示すように、釣糸挿通孔２４内において前後方向に延設されている。釣糸案内溝２４ｄ内には、クラッチレバー５３の操作時に、下方へ向けて移動してきたピラー６３によって誘導されてきた釣糸が挿入されるようになっている（図１５（ａ）（ｂ）参照）。
【００７３】
このようなラインガイド２３は、側枠２ａ，２ｂに形成された収容部２ａ１，２ｂ１の挿通孔２ｐ１，２ｐ２に対して、左端部および右端部をそれぞれ収容するようにして往復動可能である。なお、外側板３ａ，３ｂに形成された挿通窓３ｐ１，３ｐ２にラインガイド２３の左端部および右端部をそれぞれ収容するようにして往復動させることもできる。このような往復動により、スプール５の左右に釣糸が均等に振分けられ、スプール５に釣糸が均一かつ平行（平坦）に巻き取られる。これにより、スムーズな釣糸の放出が可能でありながら、スムーズな釣糸の巻き取りを実現することができる。
【００７４】
また、サムレスト６０で覆われる空間内においてラインガイド２３を左右方向に往復動させることができるので、サムレスト６０でラインガイド２３を保護することができる。
また、例えば、サムレスト６０を回動等によってさらに大きく開閉可能に設けることで、サムレスト６０を開くことにより収容部２ａ１，２ｂ１を開放することができ、メンテナンス性の向上を図ることができる。
【００７５】
なお、サムレスト６０とピラー６３とが一緒に移動するので、サムレスト６０がピラー６３の移動に邪魔にならず、ピラー６３の上下方向の移動量を大きく設定することができ、ラインガイド２３を上下方向（高さ方向）に大きく形成することも可能である。これによって、釣糸放出時に釣糸挿通孔２４の内面と釣糸との放出抵抗（接触抵抗）が小さくなる。これによって、スムーズな釣糸の放出を実現することができる。
また、ピラー６３を下方向に移動させたときには、サムレスト６０も下がるので、違和感なくパーミング（把持）しながら、釣糸の巻き取り操作を行うことができ、操作性に優れる。
【００７６】
以上説明した本実施形態の魚釣用リールによれば、前記参考例で説明したものと同様の作用効果を奏する。
そして、本実施形態では、隣接する第１の係脱部材同士の周方向における間隔のうち、最大となる間隔を構成する円弧を、スプール軸５ｃの軸方向から見て、スプール軸５ｃの軸心と第２の係脱部材とを結ぶ線分が跨ぐように、第２の係脱部材が位置するように構成されているので、最も間隔の開いている部分の固定強度を高めることができる。
このことは、例えば、外側板３ａ内の構成要素が多く、本実施形態のように第１の係脱部材の配置に偏りが生じるなどして、隣接する第１の係脱部材同士の間隔（前記したＣ１〜Ｃ３）が相互に異なる間隔となってスプール軸５ｃの周方向に配置された場合に、固定強度が弱くなる部分の固定を第２の係脱部材によって好適に補完することができ、全体として固定強度を高めることができる。
【００７７】
また、外側板３ａに、挿通窓（窓部）３ｐ１や窓（窓部）３ｅが形成されていることにより、仮に、外側板３ａの剛性が低くなったとしても、第１の係脱部材と第２の係脱部材とによって側枠２ａと外側板３ａとの固定強度を好適に確保することができる。したがって、側枠２ａと外側板３ａとの間に隙間が生じることがなくなり、挿通窓３ｐ１や窓３ｅが形成されている構成でありながらも、製品精度を高めることができる。
【００７８】
なお、第２の係脱部材は複数組配設してもよい。
さらに、第１の係脱部材の形状は、相互に係合することが可能であればよく、種々の形状のものを採用することができる。
【符号の説明】
【００８０】
１      リール本体
２      フレーム
２ｈ１〜２ｈ４  係合溝部（第１の係脱部材）
２ａ１，２ｂ１  収容部
２ａ，２ｂ  側枠
３ｐ１  挿通窓（窓部）
３ｐ２  挿通窓（窓部）
３ａ    外側板
３ｅ    窓（窓部）
５      スプール
５ｃ    スプール軸
２０    係止機構
３１ｃ  係合片（第１の係脱部材）
４０    係合部（第２の係脱部材）
４５    係合受部（第２の係脱部材）
６０    サムレスト
Ｏ１    軸心
【図１】
0005775298.tif 000002
【図２】
0005775298.tif 000003
【図３】
0005775298.tif 000004
【図４】
0005775298.tif 000005
【図５】
0005775298.tif 000006
【図６】
0005775298.tif 000007
【図７】
0005775298.tif 000008
【図８】
0005775298.tif 000009
【図９】
0005775298.tif 000010
【図１０】
0005775298.tif 000011
【図１１】
0005775298.tif 000012
【図１２】
0005775298.tif 000013
【図１３】
0005775298.tif 000014
【図１４】
0005775298.tif 000015
【図１５】
0005775298.tif 000016
【図１６】
0005775298.tif 000017